(57)【要約】    【構成】データ転送システム１０００は、携帯電話機１０および情報端末１００を含む。情報端末１００には、保存されているデータと対応するデータアイコンがディスプレイ（１０６）に表示される。たとえば、ユーザが携帯電話機１０でデータ受け取り機能を実行すると、携帯電話機１０と情報端末１００とは近距離無線通信を確立する。このとき、第１データアイコン（Ｄａ）が選択されると、第１データアイコンに関連する第２データアイコン（Ｄｂ）が携帯電話機１０のディスプレイ（１４）に表示される。この状態で、ユーザが第１データアイコンをすくうように携帯電話機１０を動かすと、第１データアイコンに対応するデータが携帯電話機１０に転送される。    【効果】ユーザは、自身の選択操作を確認しながら受け取り操作を行うだけで、任意のデータを受け取ることが出来る。【選択図】図１
2014035657.tif 000002
【特許請求の範囲】
【請求項１】
記憶されているデータに対応する第１画像を表示する情報端末との近距離無線通信が可能な、携帯通信端末であって、
表示部、
操作部、
前記情報端末から送信される前記第１画像に関連する第２画像を表示する表示処理部、
前記第２画像の表示中に前記操作部に受け取り操作が行われたとき、前記第１画像に対応するデータの転送を前記情報端末に実行させる実行部、および
転送されたデータを記憶する記憶部を備える、携帯通信端末。
【請求項２】
前記第２画像の消去要求がされたとき、前記第２画像の表示を消去する消去部をさらに備える、請求項１記載の携帯通信端末。
【請求項３】
カメラモジュール、および
前記情報端末との近距離無線通信が確立されたとき、前記カメラモジュールが出力する画像に基づいてプレビュー画像を表示するプレビュー画像表示部をさらに備える、請求項１または２記載の携帯通信端末。
【請求項４】
前記操作部は、加速度を出力する加速度センサを含み、
前記実行部は、前記加速度センサが出力する加速度が閾値以上になったとき、前記第１画像に対応するデータの転送を前記情報端末に実行させる、請求項１ないし３のいずれかに記載の携帯通信端末。
【請求項５】
前記第１画像および前記第２画像は、サムネイルまたはアイコンのいずれかを含む、請求項１ないし４のいずれかに記載の携帯通信端末。
【請求項６】
記憶されているデータに対応する第１画像を表示する情報端末との近距離無線通信が可能であり、表示部および操作部を有する、携帯通信端末のプロセッサを、
前記情報端末から送信される前記第１画像に関連する第２画像を表示する表示処理部、
前記第２画像の表示中に前記操作部に受け取り操作が行われたとき、前記第１画像に対応するデータの転送を前記情報端末に実行させる実行部、および
転送されたデータを記憶する記憶部として機能させる、データ受け取りプログラム。
【請求項７】
記憶されているデータに対応する第１画像を表示する情報端末との近距離無線通信が可能であり、表示部および操作部を有する、携帯通信端末のデータ受け取り方法であって、
前記情報端末から送信される前記第１画像に関連する第２画像を表示し、
前記第２画像の表示中に前記操作部に受け取り操作が行われたとき、前記第１画像に対応するデータの転送を前記情報端末に実行させ、そして
転送されたデータを記憶する、データ受け取り方法。
【発明の詳細な説明】
【技術分野】
【０００１】
この発明は、携帯通信端末、データ受け取りプログラムおよびデータ受け取り方法に関し、特にデータを転送することが出来る、携帯通信端末、データ受け取りプログラムおよびデータ受け取り方法に関する。
【背景技術】
【０００２】
任意のデータを転送することが出来る、携帯通信端末の一例が特許文献１に開示されている。特許文献１の携帯電話機では、メール、電話帳データあるいはスケジュール等のデータを赤外線で送受信することが出来る。具体的な操作としては、携帯電話機のユーザは、まず、メニュー画面から所定の操作を行い、画像などのデータを一覧表示させる。次に、一覧表示されたデータから任意の１つを選択する。次に、選択したデータに対する処理方法として「赤外線送信」を選択する。そして、通信相手の準備が完了した時点で、選択したデータが赤外線送信される。
【特許文献１】特開平2008-34961号公報［H04M 1/00］
【発明の概要】
【発明が解決しようとする課題】
【０００３】
ところが、携帯電話機の操作に慣れないユーザは、上述した操作手順を手際よく行うことが出来ない可能性がある。そのため、このようなユーザは、任意のデータを受け取るときに手間と時間とがかかってしまい、データの送受信を容易に行うことが出来ない。
【０００４】
それゆえに、この発明の主たる目的は、新規な、携帯通信端末、データ受け取りプログラムおよびデータ受け取り方法を提供することである。
【０００５】
この発明の他の目的は、簡単な操作で任意のデータを受け取ることが出来る、携帯通信端末、データ受け取りプログラムおよびデータ受け取り方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、記憶されているデータに対応する第１画像を表示する情報端末との近距離無線通信が可能な、携帯通信端末であって、表示部、操作部、情報端末から送信される第１画像に関連する第２画像を表示する表示処理部、第２画像の表示中に操作部に受け取り操作が行われたとき、第１画像に対応するデータの転送を情報端末に実行させる実行部、および転送されたデータを記憶する記憶部を備える、携帯通信端末である。
【０００８】
第１の発明では、携帯通信端末（１０：実施例において対応する部分を例示する参照符号。以下、同じ。）は、情報端末と近距離無線通信を確立することが出来る。この情報端末は、たとえば駅構内などに設けられている。表示部（１４）は、たとえば情報端末に記憶されているデータに対応する第１画像（データアイコンＤａ）を表示する。操作部（４６）は、携帯通信端末を振ったり動かしたりする直接的な操作を受け付ける。たとえば、ユーザが第１画像を選択すると、情報端末は第１画像に関連する第２画像を携帯通信端末に送信する。表示処理部（３０，Ｓ１１）は、受信した第２画像を表示部に表示する。実行部（３０，Ｓ１５）は、たとえばユーザが携帯通信端末に対して受け取り操作を行うと、第１画像に対応するデータの転送を情報端末に実行させる。情報端末は、要求に応じて第１画像に対応するデータを携帯通信端末に転送する。記憶部（３０，Ｓ１９）は、このようにして転送されたデータを受信すると、そのデータを記憶する。
【０００９】
第１の発明によれば、ユーザは、自身の選択操作を確認しながら受け取り操作を行うだけで、任意のデータを受け取ることが出来る。
【００１０】
第２の発明は、第１の発明に従属し、第２画像の消去要求がされたとき、第２画像の表示を消去する消去部をさらに備える。
【００１１】
第２の発明では、情報端末は、たとえば第１画像に対する選択が解除されたり、他の第１画像が選択されたりすると、第２画像の消去要求を携帯通信端末に送信する。消去部（３０，Ｓ２５）は、このようにして送信された消去要求を受信したとき、第２画像の表示を消去する。
【００１２】
第２の発明によれば、ユーザは、画像の選択操作を誤ったとしても、容易に再選択することが出来る。
【００１３】
第３の発明は、第１の発明または第２の発明に従属し、カメラモジュール、および情報端末との近距離無線通信が確立されたとき、カメラモジュールが出力する画像に基づいてプレビュー画像を表示するプレビュー画像表示部をさらに備える。
【００１４】
第３の発明では、カメラモジュール（４４）は、たとえば表示部が設けられている面（主面）とは反対の面（他面）に設けられたレンズ開口から被写界を撮影し、撮影した画像を出力する。プレビュー画像表示部（３０，Ｓ５）は、情報端末との近距離無線通信が確立されると、カメラモジュールが出力する画像に基づいてプレビュー画像を表示する。つまり携帯通信端末によってさえぎられている情報端末の表示が、携帯通信端末の表示部に表示される。
【００１５】
第３の発明によれば、ユーザは、携帯通信端末によってさえぎられた情報端末の表示を、カメラモジュールによって撮影された画像を見ることで把握することが出来る。
【００１６】
第４の発明は、第１の発明ないし第３の発明に従属し、操作部は、加速度を出力する加速度センサを含み、実行部は、加速度センサが出力する加速度が閾値以上になったとき、第１画像に対応するデータの転送を情報端末に実行させる。
【００１７】
第４の発明では、加速度センサ（４６）は、たとえば携帯通信端末が動かされると、加速度を出力する。そして、実行部は、携帯通信端末に対して受け取り操作がされ、加速度センサが出力する加速度が閾値以上になると、第１画像と対応するデータの転送を要求する。
【００１８】
第４の発明によれば、ユーザは、携帯通信端末を動かすという単純な操作で、データ転送を開始させることが出来る。
【００１９】
第５の発明は、第１の発明ないし第４の発明のいずれかに従属し、第１画像および第２画像は、サムネイルまたはアイコンのいずれかを含む。
【００２０】
第６の発明は、記憶されているデータに対応する第１画像を表示する情報端末（１００）との近距離無線通信が可能であり、表示部（１４）および操作部（４６）を有する、携帯通信端末（１０）のプロセッサ（３０）を、情報端末から送信される第１画像に関連する第２画像を表示する表示処理部（Ｓ１１）、第２画像の表示中に操作部に受け取り操作が行われたとき、第１画像に対応するデータの転送を情報端末に実行させる実行部（Ｓ１５）、および転送されたデータを記憶する記憶部（Ｓ１９）として機能させる、データ受け取りプログラムである。
【００２１】
第６の発明でも、第１の発明と同様、ユーザは、自身の選択操作を確認しながら受け取り操作を行うだけで、任意のデータを受け取ることが出来る。
【００２２】
第７の発明は、記憶されているデータに対応する第１画像を表示する情報端末（１００）との近距離無線通信が可能であり、表示部（１４）および操作部（４６）を有する、携帯通信端末（１０）のデータ受け取り方法であって、情報端末から送信される第１画像に関連する第２画像を表示し（Ｓ１１）、第２画像の表示中に操作部に受け取り操作が行われたとき、第１画像に対応するデータの転送を情報端末に実行させ（Ｓ１５）、そして転送されたデータを記憶する（Ｓ１９）、データ受け取り方法である。
【００２３】
第７の発明でも、第１の発明と同様、ユーザは、自身の選択操作を確認しながら受け取り操作を行うだけで、任意のデータを受け取ることが出来る。
【発明の効果】
【００２４】
この発明によれば、簡単な操作で任意のデータを受け取ることが出来る。
【００２５】
この発明の上述の目的、その他の目的、特徴および利点は、図面を参照して行う以下の実施例の詳細な説明から一層明らかとなろう。
【図面の簡単な説明】
【００２６】
【図１】図１はこの発明の一実施例のデータ転送システムの構成の一例を示す図解図である。
【図２】図２は図１に示す携帯通信端末の外観図であり、図２（Ａ）は携帯通信端末の主面の外観を示し、図２（Ｂ）は携帯通信端末の他面の外観を示す。
【図３】図３は図２に示す携帯通信端末の電気的な構成の一例を示す図解図である。
【図４】図４は図１に示す情報端末の外観図である。
【図５】図５は図２に示す情報端末の電気的な構成の一例を示す図解図である。
【図６】図６は図４に示すタッチパネルの検出空間の一例を示す図解図である。
【図７】図７は図６に示す検出空間で操作位置が検出されている状態の一例を示す図解図である。
【図８】図８は図１に示す携帯通信端末によってデータアイコンを選択するときの操作の一例を示す図解図であり、図８（Ａ）は第１データアイコンが選択される前の状態を示し、図８（Ｂ）は第１データアイコンが選択されている状態を示す。
【図９】図９は図１に示す携帯通信端末のディスプレイに第２データアイコンが表示されている状態の一例を示す図解図である。
【図１０】図１０は図１に示す携帯通信端末のディスプレイに転送されたデータの内容が表示されている状態の一例を示す図解図である。
【図１１】図１１は図３に示す携帯通信端末のＲＡＭのメモリマップの一例を示す図解図である。
【図１２】図１２は図５に示す情報端末のＲＡＭのメモリマップの一例を示す図解図である。
【図１３】図１３は図３に示す携帯通信端末１０のプロセッサのデータ受け取り処理の一例を示すフロー図である。
【図１４】図１４は図５に示す情報端末のプロセッサのデータ転送管理処理の一例を示すフロー図である。
【図１５】図１５は図１に示すデータ転送システムにおいてデータが転送されるまでの流れの一例を示すシーケンス図である。
【図１６】図１６は図１に示すデータ転送システムにけるデータアイコンが選択されている様子の一例を示す図解図である。
【図１７】図１７は図１に示す携帯通信端末のディスプレイに付加情報が表示されている状態の一例を示す図解図である。
【発明を実施するための形態】
【００２７】
図１を参照して、この発明の一実施例のデータ転送システム１０００は、一例として駅の構内でフロアガイドをユーザに配布するためのものであり、携帯通信端末１０および情報端末１００を含む。ただし、この発明では、フロアガイドの他にクーポン券などを配布してもよく、さらには駅の構内以外にデパートや博物館などに設置可能であることを予め指摘しておく。
【００２８】
携帯通信端末１０は、一例としてタブレット端末であり、ユーザによって持ち運ばれる。また、携帯通信端末１０は、情報端末１００から受け取った（転送された、または取得した）フロアガイドを表示する。情報端末１００は、一例として電子看板であり、フロアガイドのデータと対応するデータアイコン（またはサムネイル画像）を表示する。
【００２９】
たとえば、ユーザは、情報端末１００に表示されている複数のデータアイコン（フロアガイド）の中から、任意のデータアイコンを選択し受け取り操作を行うことで、必要なフロアガイドのデータを、情報端末１００から携帯通信端末１０に転送させることが出来る。
【００３０】
また、携帯通信端末１０と情報端末１００とは、Ｗｉ−Ｆｉ方式の近距離無線通信を利用して無線接続される。そのため、データ転送が行われる場合、Ｗｉ−Ｆｉ方式の近距離無線通信によって、データが情報端末１００から携帯通信端末１０に転送される。
【００３１】
図２（Ａ），（Ｂ）は携帯通信端末１０の外観を示す図解図であり、図２（Ａ）は携帯通信端末１０の主面（表面）の外観を示し、図２（Ｂ）は携帯通信端末１０（Ｂ）の他面（裏面）の外観を示す。
【００３２】
図２（Ａ），（Ｂ）を参照して、携帯通信端末１０は、縦長の扁平矩形のハウジング１２を含む。ただし、携帯通信端末１０は、携帯電話機や、ＰＤＡなど任意の携帯通信端末に適用可能であることを予め指摘しておく。
【００３３】
ハウジング１２の主面には、表示部または第２表示部として機能する、たとえば液晶や有機ＥＬなどのディスプレイ１４が設けられる。ディスプレイ１４の上には、タッチパネル１６が設けられる。したがって、この実施例の携帯通信端末１０では、後述のハードキーの操作によるものを除く大部分の入力操作は、このタッチパネル１６を介して行われる。
【００３４】
ハウジング１２の縦方向一端の主面側にスピーカ１８が内蔵される。ハウジング１２の主面には、タッチパネル１６と共に入力操作手段を構成するメニューキー２０が設けられる。
【００３５】
ハウジング１２の他面の縦方向一端には、カメラモジュール４４（図２参照）に通じるレンズ開口２２が設けられている。また、ハウジング１２の他面の略中央には、Ｆｅｌｉｃａ（登録商標）など非接触型ＩＣカードなどで利用される近接無線通信（非接触通信）を行うための面であることを示す、ＮＦＣ(Near Field Communication)マーク２４が設けられている。
【００３６】
たとえば、メニューキー２０が操作されると、ディスプレイ１４にメニュー画面が表示される。その状態でディスプレイ１４に表示されているソフトキーやメニューアイコンなどに対して、ユーザはタッチ操作を行うことによってメニューを選択し、その選択を確定させることができる。
【００３７】
さらに、カメラ機能が実行されると、カメラモジュール４４が起動し、被写界と対応するプレビュー画像（スルー画像）がディスプレイ１４に表示される。そして、ユーザは、レンズ開口２２が設けられている他面を被写体に向けて撮影操作を行うことで、被写体を撮影することが出来る。
【００３８】
また、ユーザは、ＮＦＣマーク２４が設けられている携帯通信端末１０の他面を、他の機器に設けられているＮＦＣマークにかざすことで、他の機器と近接無線通信を行うことが出来る。
【００３９】
図３を参照して、図２に示す携帯通信端末１０は、コンピュータまたはＣＰＵと呼ばれるプロセッサ３０などを含む。プロセッサ３０には、Ｄ／Ａ変換器３２、入力装置３４、表示ドライバ３６、フラッシュメモリ３８、ＲＡＭ４０、タッチパネル制御回路４２、カメラモジュール４４、加速度センサ４６、近距離無線通信回路４８およびＮＦＣ回路５２などが接続される。
【００４０】
プロセッサ３０は、携帯通信端末１０の全体制御を司る。ＲＡＭ４０には、フラッシュメモリ３８に予め設定されているプログラムの全部または一部が使用に際して展開され、プロセッサ３０はこのＲＡＭ４０上のプログラムに従って動作する。なお、ＲＡＭ４０はさらに、プロセッサ３０のワーキング領域ないしバッファ領域として用いられる。
【００４１】
入力装置３４は、図２に示すタッチパネル１６、メニューキー２０を含むものであり、操作部または入力部を構成する。ユーザが操作したハードキーの情報（キーデータ）はプロセッサ３０に入力される。
【００４２】
Ｄ／Ａ変換器３２にはスピーカ１８が接続される。Ｄ／Ａ変換器３２は、ディジタルの音声データを音声信号に変換して、アンプを介してスピーカ１８に与える。したがって、音声データの音声がスピーカ１８から出力される。
【００４３】
表示ドライバ３６には図２に示すディスプレイ１４が接続され、したがって、ディスプレイ１４はプロセッサ３０から出力される映像または画像データに従って映像または画像を表示する。つまり、表示ドライバ３６は、プロセッサ３０の指示の下、当該表示ドライバ３６に接続されたディスプレイ１４の表示を制御する。また、表示ドライバ３６は表示する画像データを一時的に記憶するビデオメモリを含む。ディスプレイ１４には、たとえばＬＥＤなどを光源とするバックライトが設けられており、表示ドライバ３６はプロセッサ３０の指示に従って、そのバックライトの明るさや、点灯／消灯を制御する。
【００４４】
タッチパネル制御回路４２には、図２に示すタッチパネル１６が接続される。タッチパネル制御回路４２は、タッチパネル１６に必要な電圧などを付与するとともに、タッチパネル１６に対するユーザによるタッチの開始を示すタッチ開始信号、ユーザによるタッチの終了を示す終了信号、およびユーザがタッチしたタッチ位置を示す座標データをプロセッサ３０に入力する。したがって、プロセッサ３０はこの座標データに基づいて、ディスプレイ１４に表示されているアイコンやキーに対してタッチされたかを判断することができる。
【００４５】
実施例では、タッチパネル１６は、表面に近接した物体とタッチパネル１６の表面との間の静電容量の変化を検出する静電容量方式で、たとえば１本または複数本の指がタッチパネル１６に触れたことを検出する。また、タッチパネル１６は、ディスプレイ１４の上に設けられる。タッチパネル制御回路４２は検出部として機能し、タッチパネル１６のタッチ有効範囲内でのタッチ操作を検出して、そのタッチ操作の位置を示す座標データをプロセッサ３０に出力する。つまり、ユーザは、タッチパネル１６の表面をタッチ、スライドおよびリリースすることによって、操作位置や、操作方向などを携帯通信端末１０に入力する。
【００４６】
なお、タッチパネル１６の検出方式には、表面型の静電容量方式が採用されてもよいし、抵抗膜方式、超音波方式、赤外線方式および電磁誘導方式などが採用されてもよい。また、タッチ操作はユーザの指に限らず、スタイラスペンなどによって行われてもよい。
【００４７】
カメラモジュール４４は制御回路、レンズおよびイメージセンサなどを含む。プロセッサ３０は、カメラ機能を実行する操作がされると、制御回路およびイメージセンサを起動する。そして、イメージセンサから出力された信号に基づく画像データがプロセッサ３０に入力されると、被写体に対応するプレビュー画像がディスプレイ１４に表示される。
【００４８】
加速度センサ４６は、半導体式の３軸の加速度センサである。加速度センサ４６は、携帯通信端末１０に対する３軸(X,Y,Z)の加速度データをプロセッサ３０に出力する。プロセッサ３０は、３軸の加速度データの変化を検出することで、携帯通信端末１０の動きを判断する。また、プロセッサ３０は、加速度センサ４６が検出する重力加速度に基づき、携帯通信端末１０の傾斜角を算出することができる。たとえば、プロセッサ３０は、携帯通信端末１０の姿勢が変化すると、そのときの傾斜角に基づいてディスプレイ１４の表示方向を設定する。また、プロセッサ３０は、加速度センサ４６が出力する加速度データに基づいて、携帯通信端末１０を振ったり動かしたりする直接的な操作を検出することが出来る。
【００４９】
近距離無線通信回路４８は、Ｗｉ−Ｆｉ方式の近距離無線通信を行うための回路であり、近距離無線通信アンテナ５０が接続される。Ｗｉ−Ｆｉ(Wireless Fidelity)は、ＩＥＥＥ  ８０２．１１シリーズ（ＩＥＥＥ  ８０２．１１ａ／ｂ／ｇ／ｎなど）という通信規格を利用した無線機器間の相互接続性等について、所定の認証機関によって認証されたことを示す名称である。つまり、Ｗｉ−Ｆｉは近距離無線通信の一方式であり、携帯通信端末１０では、Ｗｉ−Ｆｉ方式の近距離無線通信回路４８を用いる。そして、Ｗｉ−Ｆｉ方式の近距離無線通信では、アクセスポイントとして機能する機器との間で近距離無線通信を確立することが出来る。また、携帯通信端末１０がアクセスポイントとの近距離無線通信を確立する場合は、ＳＳＩＤ(Service Set Identifier)およびセキュリティキーなどの通信確立情報が必要となる。
【００５０】
ＮＦＣ回路５２は、近接無線通信を行うための回路であり、ＮＦＣアンテナ５４と接続される。ＮＦＣは、Ｗｉ−Ｆｉとは異なる近距離無線通信の一方式であり、近接無線通信または非接触通信と呼ばれることがある。そして、ＮＦＣ方式の近接無線通信では、ＮＦＣ回路を有する機器またはリーダ／ライタとの間で無線通信を確立することが出来る。ただし、本実施例のＮＦＣ方式の近接無線通信は、Ｗｉ−Ｆｉ方式の近距離無線通信とは異なり、通信確立情報は必要ない。
【００５１】
図４は情報端末１００の外観を示す図解図である。図４を参照して、情報端末１００は、携帯通信端末１０よりも大きい、扁平矩形のハウジング１０２を含む。ただし、この情報端末１００は、いわゆるスマートフォン(smart phone)、タブレット端末、ＰＤＡなど任意の情報端末に適用可能であることを予め指摘しておく。
【００５２】
ハウジング１２の主面には、第１表示部として機能する、たとえば液晶や有機ＥＬなどのディスプレイ１０４が設けられる。ディスプレイ１０４の上には、ポインティングデバイスの一種である、タッチパネル１０６が設けられる。したがって、この実施例の情報端末１０では、入力操作をこのタッチパネル１０６を介して行われる。
【００５３】
また、情報端末１００の左下には、携帯通信端末１０の他面に設けられていたものと同じ、ＮＦＣマーク１０８が設けられている。
【００５４】
たとえば、ユーザは、ディスプレイ１０４に表示されたＧＵＩに対して、タッチパネル１０６を介して操作を行うことで、所望のデータ（たとえば、フロアガイドなど）と対応するデータアイコンをディスプレイ１０４に表示させたり、その内容を確認したりすることが出来る。
【００５５】
また、ユーザは、ＮＦＣマーク２４が設けられた携帯通信端末１０の他面を、情報端末１００のＮＦＣマーク１０８にかざすことで、携帯通信端末１０と情報端末１００との間に、ＮＦＣ方式の近接無線通信を確立することが出来る。
【００５６】
なお、他の実施例の情報端末には、アナウンス音声を出力するスピーカ、音声入力をするためのマイクなどが設けられていてもよい。
【００５７】
図５を参照して、図４に示す情報端末１００は、コンピュータまたはＣＰＵと呼ばれるプロセッサ１１０を含む。プロセッサ１１０には、表示ドライバ１１２、フラッシュメモリ１１４、ＲＡＭ１１６、タッチパネル制御回路１１８、近距離無線通信回路１２０およびＮＦＣ回路１２４などが接続される。
【００５８】
なお、近距離無線通信回路１２０およびＮＦＣ回路１２４と、それらに接続される近距離無線通信アンテナ１２２およびＮＦＣアンテナ１２６については、携帯通信端末１０のものと略同じであるため、ここでの詳細な説明は省略する。ただし、情報端末１００の近距離無線通信回路１２０はアクセスポイントモードで動作する。アクセスポイントモードとは、自端末が基地局と通信するとともに近距離無線通信におけるアクセスポイントとして機能するモードである。アクセスポイントモードで動作している状態では、他端末は近距離無線通信によって自端末を介して基地局と通信可能となる。つまり、情報端末１００は、アクセスポイントモードで動作することで、Ｗｉ−Ｆｉ方式の近距離無線通信におけるアクセスポイントとして機能する。
【００５９】
プロセッサ１１０は、情報端末１００の全体制御を司る。フラッシュメモリ１１４には、情報端末１００を動作させるためのプログラムおよびフロアガイドなどのデータが記憶される。ＲＡＭ１１６には、フラッシュメモリ１１４に予め設定されているプログラムの全部または一部が使用に際して展開され、プロセッサ３０はこのＲＡＭ１１６上のプログラムに従って動作する。なお、ＲＡＭ１１６はさらに、プロセッサ１１０のワーキング領域ないしバッファ領域として用いられる。また、フラッシュメモリ１１４は記憶部と呼ばれることもある。
【００６０】
表示ドライバ１１２には図４に示すディスプレイ１０４が接続される。ディスプレイ１０４はプロセッサ１１０から出力される表示データに従ってデータアイコンを表示する。つまり、表示ドライバ１１２は、プロセッサ１１０の指示の下、当該表示ドライバ１１２に接続されたディスプレイ１０４の表示を制御する。また、表示ドライバ１１２はデータアイコンの表示データを一時的に記憶するビデオメモリを含む。ディスプレイ１０４には、たとえばＬＥＤなどを光源とするバックライトが設けられている。
【００６１】
タッチパネル制御回路１１８には、ディスプレイ１０４の上に設けられたタッチパネル１０６が接続される。タッチパネル制御回路１１８は、タッチパネル１０６に必要な電圧などを付与する。情報端末１００のタッチパネル１０６は、タッチの検出方式が静電容量方式であり、タッチパネル１０６は、１本または複数本の指などがタッチパネル１０６に触れるタッチ操作を検出する。また、タッチパネル１０６の感度は高く設定されているため、タッチパネル１０６から指などを浮かせた（所定間隔あけた）フローティングタッチ操作を検出することが出来る。つまり、ユーザは、タッチパネル１０６に直接触れることなく、ディスプレイ１０４に表示されたＧＵＩを直感的に操作することが出来る。なお、以下の説明では、フローティングタッチ操作のことを、フローティングタッチと言う。
【００６２】
タッチパネル制御回路１１８は、タッチパネル１０６に対するユーザによるタッチまたはフローティングタッチの開始を示すタッチ開始信号、ユーザによるタッチまたはフローティングタッチの終了を示す終了信号、およびユーザがタッチしているタッチ位置を示すタッチ座標データまたはフローティングタッチしている位置を示すフローティングタッチ座標データをプロセッサ１１０に入力する。たとえば、プロセッサ１１０はフローティングタッチ座標データに基づいて、そのときユーザがどのデータアイコンに、フローティングタッチしているかを判断することができる。
【００６３】
図６はタッチパネル１０６のフローティングタッチを検出する検出空間ＤＳを示す図解図である。図６を参照して、情報端末１００を側面から見た場合、検出空間ＤＳの底面積は、ディスプレイ１０４の表示領域（タッチパネル１０６の反応領域）の面積と対応する。そして、情報端末１００の表面（タッチパネル１０６の表面）から所定距離までが検出空間ＤＳとなる。
【００６４】
図７を参照して、たとえば携帯通信端末１０が検出空間ＤＳに入ると、タッチパネル１０６によってフローティングタッチとして検出される。また、その検出位置がタッチパネル制御回路１１８からプロセッサ１１０に出力される。
【００６５】
ここで、本実施例では、情報端末１０のディスプレイ１０４に表示されているデータアイコン（画像）を利用して転送するデータが選択され、受け取り操作が行われると、選択したデータが携帯通信端末１０に転送される。つまり、ユーザは、必要なデータを携帯通信端末１０で受け取ることが出来る。以下、具体的な処理について説明する。
【００６６】
まず、携帯通信端末１０と情報端末１００との無線接続について説明する。ユーザがＮＦＣマーク２４（携帯通信端末１０の他面）を情報端末１００のＮＦＣマーク１０８に近づけると、携帯通信端末１０と情報端末１００との間でＮＦＣ方式の近接無線通信が行われる。このとき、情報端末１００から携帯通信端末１０に対して、Ｗｉ−Ｆｉ方式の通信確立情報（ＳＳＩＤおよびセキュリティキー）が送信される。携帯通信端末１０では、通信確立情報を受信すると、その情報に基づいて情報端末１００とＷｉ−Ｆｉ方式の近距離無線通信を確立する。また、近接無線通信が行われると、携帯通信端末１０では、データを受け取るための受け取り機能が実行される。
【００６７】
次に、転送するデータの選択操作について説明する。受け取り機能が実行されると、携帯通信端末１０は、カメラモジュール４４を起動し、プレビュー画像をディスプレイ１４に表示させる。
【００６８】
図８（Ａ）を参照して、情報端末１００のディスプレイ１０４には複数のデータアイコンが表示される。また、プレビュー画像を表示する携帯通信端末１０の裏面がデータアイコンを表示しているディスプレイ１０４へ向けられると、携帯通信端末１０のディスプレイ１４にはデータアイコンの撮影画像が表示される。つまり、ユーザは、携帯通信端末１０によってさえぎられた情報端末１００のディスプレイ１０４の表示を、カメラモジュール４４によって撮影された画像を見ることで把握することが出来る。
【００６９】
図８（Ｂ）を参照して、ユーザが任意の第１データアイコンＤａに対して携帯通信端末１０を近づけるフローティングタッチ操作（選択操作）を行うと、情報端末１００は携帯通信端末１０が接近している位置を検出する。このとき、情報端末１００は、検出位置に表示されている第１データアイコンＤａを、一部が摘ままれているような状態（選択状態）に変化させる。つまり、ユーザに対して、携帯通信端末１０で第１データアイコンＤａを摘まんでいるかのように感じさせることが出来る。
【００７０】
また、情報端末１００は、第１データアイコンＤａと関連する第２データアイコンＤｂ、および第１データアイコンＤａと対応するデータのメタ情報を携帯通信端末１０に送信する。そして、携帯通信端末１０は、受信した第２データアイコンＤｂおよびメタ情報を、ディスプレイ１４に表示する。
【００７１】
図９を参照して、たとえば、携帯通信端末１０は受信した第２データアイコンＤｂおよびメタ情報を、プレビュー画像に代えてディスプレイ１４に表示する。第２データアイコンＤｂは、第１データアイコンＤａの右上の一部を表している。このとき、ユーザは、携帯通信端末１０と情報端末１００とを同時に見ると、ディスプレイ１０４に表示される第１データアイコンＤａが、携帯通信端末１０によって摘ままれているかのように感じる。
【００７２】
また、第２データアイコンＤｂの右側には、同時に受信したメタ情報が表示される。メタ情報は、第１データアイコンＤａに対応するデータが作成された日時（2012/06/14  作成）や、データサイズ（1,568KB）を含み、ディスプレイ１４にはこれらの情報が表示される。ただし、他の実施例では、データの更新日や作成者などのメタ情報が表示されてもよい。
【００７３】
次に、転送するデータの受け取り操作について説明する。第２データアイコンＤｂがディスプレイ１４に表示されている状態で、たとえば第１データアイコンＤａをすくうように携帯通信端末１０を動かす操作（受け取り操作）が行われると、携帯通信端末１０は第１データアイコンＤａと対応するデータの転送要求を、情報端末１００に送信する。具体的には、すくうような動作によって加速度センサ４６の出力が閾値を超えると、携帯通信端末１０は転送要求を情報端末１００に送信する。
【００７４】
このように、ユーザは、携帯通信端末１０を動かすという単純な操作で、データ転送を開始させることが出来る。
【００７５】
図１０を参照して、情報端末１００がデータ転送の要求を受信すると、第１データアイコンＤａと対応するデータが携帯通信端末１０に転送される。そして、携帯通信端末１０にデータが転送されると、そのデータが記憶されると共に、データの内容がディスプレイ１４に表示される。
【００７６】
このように、本実施例では、ユーザは、自身の選択操作を確認しながら受け取り操作を行うだけで、任意のデータを受け取ることが出来る。
【００７７】
特に、ユーザは、必要なデータに対応するデータアイコンに対して、そのデータアイコンを携帯通信端末１０ですくうような操作を行うだけで、必要なデータを受け取ることが出来る。つまり、ユーザは直感的な操作で、必要なデータを転送することが出来る。また、本実施例では、直感的な操作で特定のデータを転送できるため、必要ないデータの誤転送が抑制される。
【００７８】
また、第１データアイコンＤａが選択され、受け取り操作がされる前にフローティングタッチが検出されなくなると、携帯通信端末１０のディスプレイ１４に表示される第２データアイコンＤｂは消去され、プレビュー画像が再度表示される。つまり、第１データアイコンＤａが選択されていない状態となるため、第２データアイコンＤａの表示が消去される。したがって、ユーザは、データアイコンの選択操作を誤ったとしても、容易に再選択することが出来る。
【００７９】
なお、他の実施例では、Ｗｉ−Ｆｉ方式の近距離無線通信におけるアドホックモードで近距離無線通信が確立されてもよい。つまり、アドホックモードで近距離無線通信が確立されると、携帯通信端末１０と情報端末１００とは、無線ＬＡＮのアクセスポイントなどを介さず直接通信を行う。
【００８０】
また、他の実施例では、受け取り操作の誤操作を抑制するために、携帯通信端末１０のタッチパネル１６にタッチされた状態で受け取り操作がされたときに、データ転送の要求を情報端末１００に送信するようにしてもよい。また、その他の実施例では、携帯通信端末１０を左右や上下に振る操作が、受け取り操作とされてもよい。
【００８１】
以上で実施例の特徴を概説したが、以下には、図１１、図１２に示すメモリマップ、図１３、図１４に示すフロー図および図１５に示すシーケンス図を用いて詳細に説明する。
【００８２】
図１１を参照して、図３に示す携帯通信端末１０のＲＡＭ４０には、プログラム記憶領域３０２とデータ記憶領域３０４とが形成される。プログラム記憶領域３０２は、先に説明したように、フラッシュメモリ３８（図２）に予め設定しているプログラムデータの一部または全部を読み出して記憶（展開）しておくための領域である。
【００８３】
プログラム記憶領域３０２には、情報端末１００から転送されたデータを受け取るためのデータ受け取りプログラム３１０およびカメラモジュール４４の動作を制御するためのカメラモジュール制御プログラム３１２などが記憶されている。なお、プログラム記憶領域３０２には、電話機能などを実行するためのプログラムも含まれる。
【００８４】
続いて、ＲＡＭ４０のデータ記憶領域３０４には、加速度バッファ３３０、プレビューバッファ３３２、アイコンバッファ３３４および受信バッファ３３６などが設けられる。加速度バッファ３３０には、加速度センサ４６から出力された加速度が一時的に記憶される。プレビューバッファ３３２には、カメラモジュール４４から出力される画像に基づくプレビュー画像が一時的に記憶される。アイコンバッファ３３４には、情報端末１００から送信された第２データアイコンＤｂが一時的に記憶される。受信バッファ３３６には、情報端末１００から転送されたデータが一時的に記憶される。
【００８５】
なお、データ記憶領域３０４には、待機状態で表示される画像データや、文字列のデータなどが記憶されると共に、携帯通信端末１０の動作に必要なカウンタや、フラグも設けられる。
【００８６】
図１２を参照して、図５に示す情報端末１００のＲＡＭ１１６には、プログラム記憶領域４０２とデータ記憶領域４０４とが形成される。プログラム記憶領域４０２は、携帯通信端末１０のプログラム記憶領域３０２と同様、フラッシュメモリ１１４（図５）に予め設定しているプログラムデータの一部または全部を読み出して記憶（展開）しておくための領域である。
【００８７】
プログラム記憶領域４０２には、携帯通信端末１０にデータを転送するためのデータ転送管理プログラム４１０などが記憶されている。なお、プログラム記憶領域４０２には、データアイコンを表示するためのプログラムも含まれる。
【００８８】
続いて、ＲＡＭ１１６のデータ記憶領域４０４には、検出バッファ４３０が設けられると共に、アイコンデータ４３２、アイコン座標データ４３４および通信確立情報データ４３６が記憶される。また、データ記憶領域４０４には、検出フラグ４３８も設けられる。
【００８９】
検出バッファ４３０は、タッチパネル制御回路１１８が出力するタッチ座標およびフローティングタッチ座標のデータが一時的に記憶される。
【００９０】
アイコンデータ４３２は、複数のデータアイコンを表示するためのデータである。アイコン座標データ４３４は、ディスプレイ１０４に表示されているデータアイコンの表示座標を含む。したがって、タッチまたはフローティングタッチが検出されると、検出バッファ４３０に記録されているタッチ座標またはフローティングタッチ座標と、アイコン座標データ４３４とに基づいて、データアイコンに対してタッチ操作またはフローティングタッチ操作が行われたかが判断される。
【００９１】
通信確立情報データ４３６は、情報端末１００がアクセスポイントとして機能したときに、他の端末（携帯通信端末１０）が情報端末１００とＷｉ−Ｆｉ方式の近距離無線通信を行う際に必要な通信確立情報を含む。また、具体的には、上述した通り、ＳＳＩＤおよびセキュリティキーの文字列が通信確立情報データ４３６に含まれる。
【００９２】
検出フラグ４３８は、タッチパネル１０６に対してタッチまたはフローティングタッチされているか否かを判断するためのフラグである。たとえば、検出フラグ４３８は、１ビットのレジスタで構成される。検出フラグ４３８がオン（成立）されると、レジスタにはデータ値「１」が設定される。一方、検出フラグ４３８がオフ（不成立）されると、レジスタにはデータ値「０」が設定される。なお、検出フラグ４３８は、タッチパネル制御回路１１８が出力する信号に基づいてオン／オフが切り換えられる。
【００９３】
なお、データ記憶領域４０４には、待機状態で表示される画像データや、文字列のデータなどが記憶されると共に、携帯通信端末１０の動作に必要なカウンタや、フラグも設けられる。
【００９４】
携帯通信端末１０のプロセッサ３０は、Ａｎｄｒｏｉｄ（登録商標）またはＲＥＸなどのＬｉｎｕｘ（登録商標）ベースのＯＳや、その他のＯＳの制御下で、図１３に示すデータ受け取り処理などを含む複数のタスクを並列的に処理する。
【００９５】
データ受け取り処理は、情報端末１００とのＮＦＣ方式の近接無線通信が確立され、通信確立情報データを受け取ったときに、開始される。
【００９６】
ステップＳ１でプロセッサ３０は、情報端末１００との近距離無線通信を確立する。つまり、情報端末１００から受け取った通信確立情報データに含まれる、ＳＳＩＤおよびセキュリティキーに基づいて、プロセッサ３０は、情報端末１００との近距離無線通信を確立する。
【００９７】
続いて、プロセッサ３０は、ステップＳ３でカメラモジュール４４を起動し、ステップＳ５でプレビュー画像を表示する。たとえば、図８（Ａ）に示すように、携帯通信端末１０のディスプレイ１４にプレビュー画像が表示される。なお、ステップＳ５の処理を実行するプロセッサ３０はプレビュー画像表示部として機能する。
【００９８】
続いて、ステップＳ７でプロセッサ３０は、第２データアイコンＤｂを受信したか否かを判断する。つまり、情報端末１００から送信された第２データアイコンＤｂを受信したかが判断される。ステップＳ７で“ＮＯ”であれば、つまり第２データアイコンＤｂを受信していなければ、ステップＳ９でプロセッサ３０は、終了操作か否かを判断する。たとえば、メニューキー２０が操作されたかが判断される。ステップＳ９で“ＹＥＳ”であれば、つまり終了操作がされると、プロセッサ３０は、情報端末１００との通信を解除して、データ受け取り処理を終了する。一方、ステップＳ７で“ＮＯ”であれば、つまり終了操作がされていなければ、プロセッサ３０はステップＳ５に戻る。
【００９９】
また、ステップＳ７で“ＹＥＳ”であれば、つまり第２データアイコンＤｂを受信すると、ステップＳ１１でプロセッサ３０は、第２データアイコンＤｂを表示する。たとえば、図９に示すように、第２データアイコンＤｂがディスプレイ１４に表示される。なお、ステップＳ１１の処理を実行するプロセッサ３０は表示処理部として機能する。
【０１００】
続いて、ステップＳ１３でプロセッサ３０は、受け取り操作がされたか否かを判断する。たとえば、データアイコンをすくうように携帯通信端末１０が動かされ、加速度バッファ３３０に記録されている加速度が閾値を超えたかが判断される。ステップＳ１３で“ＹＥＳ”であれば、つまり受け取り操作がされると、ステップＳ１５でプロセッサ３０は、情報端末１００にデータの転送を要求する。つまり、プロセッサ３０は、第１データアイコンＤａと対応するデータの転送要求を、情報端末１００に送信する。なお、ステップＳ１５の処理を実行するプロセッサ３０は、実行部として機能する。
【０１０１】
続いて、ステップＳ１７でプロセッサ３０は、データを受信したか否かを判断する。つまり、情報端末１００が転送要求に応じて送信したデータを受信したかが判断される。ステップＳ１７で“ＮＯ”であれば、つまり情報端末１００からデータを受信していなければ、プロセッサ３０はステップＳ１７を繰り返す。
【０１０２】
また、ステップＳ１７で“ＹＥＳ”であれば、つまり情報端末１００からデータを受信すると、ステップＳ１９でプロセッサ３０は、受信したデータを記憶する。たとえば、受信したデータは、受信バッファ３３６に一旦格納されたあと、フラッシュメモリ３８に記憶される。なお、ステップＳ１９の処理を実行するプロセッサ３０は記憶部として機能する。
【０１０３】
続いて、ステップＳ２１でプロセッサ３０は、受信したデータを表示する。たとえば、図１０に示すように、受信したデータがディスプレイ１４に表示される。そして、ステップＳ２１の処理が終了すると、プロセッサ３０はステップＳ５に戻る。
【０１０４】
また、ステップＳ１３で“ＮＯ”であれば、つまり受け取り操作がされなければ、ステップＳ２３でプロセッサ３０は、第２データアイコンＤｂの消去要求がされたか否かを判断する。たとえば、ユーザが第１データアイコンＤａから携帯通信端末１０を離すと、第１データアイコンＤａが選択されていない状態となるため、情報端末１００は第２データアイコンＤｂの表示を消去するように、携帯通信端末１０に対して要求する。そして、ステップＳ２３では、このようにして送信される消去要求を受信したかが判断される。
【０１０５】
ステップＳ２３で“ＮＯ”であれば、つまり消去要求がなければ、プロセッサ３０はステップＳ１３に戻る。一方、ステップＳ２３で“ＹＥＳ”であれば、つまり消去要求がされると、ステップＳ２５でプロセッサ３０は、第２データアイコンＤｂの表示を消去する。たとえば、図９に示すように第２データアイコンＤｂが表示されている場合、その第２データアイコンＤｂが消去される。そして、ステップＳ２５の処理が終了すると、プロセッサ３０はステップＳ５に戻る。なお、ステップＳ２５の処理を実行するプロセッサ３０は消去部として機能する。
【０１０６】
次に、情報端末１００のプロセッサ１１０は、ＡｎｄｒｏｉｄなどのＬｉｎｕｘベースのＯＳなどの制御下で、図１４に示すデータ転送管理処理などを含む複数のタスクを並列的に処理する。
【０１０７】
データ転送管理処理は、情報端末１００の電源がオンにされると、開始される。ステップＳ４１でプロセッサ１１０は、データアイコンを表示する。たとえば、図８（Ａ）などに示すように、ディスプレイ１０４に複数のデータアイコンが表示される。
【０１０８】
続いて、ステップＳ４３でプロセッサ１１０は、近距離無線通信を確立する要求が有るか否かを判断する。つまり、携帯通信端末１０のＮＦＣマーク２４が情報端末１００のＮＦＣマーク１０８にかざされ、ＮＦＣ方式の近接無線通信が確立されたかが判断される。ステップＳ４３で“ＮＯ”であれば、つまり近距離無線通信を確立する要求がなければ、ステップＳ４５でプロセッサ１１０は、終了操作がされたか否かを判断する。たとえば、情報端末１００の電源をオフにする操作がされたかが判断される。ステップＳ４５で“ＹＥＳ”であれば、つまり終了操作がされると、プロセッサ１１０はデータ転送管理処理を終了する。一方、ステップＳ４５で“ＮＯ”であれば、つまり終了操作がされていなければ、プロセッサ１１０はステップＳ４３に戻る。
【０１０９】
ステップＳ４３で“ＹＥＳ”であれば、つまり近距離無線通信を確立する要求があると、ステップＳ４７でプロセッサ１１０は、携帯通信端末１０との近距離無線通信を確立する。まず、プロセッサ１１０は、通信確立情報データ４３６を携帯通信端末１０に送信する。その後、送信した通信確立情報に基づいて、近距離無線通信を確立する要求が携帯通信端末１０からされると、携帯通信端末１０との近距離無線通信を確立する。
【０１１０】
続いて、ステップＳ４９でプロセッサ１１０は、操作を検出したか否かを判断する。たとえば、携帯通信端末１０などによってフローティングタッチ操作がされたかが判断される。具体的には、プロセッサ１１０は検出フラグ４３８がオンであるかを判断する。ステップＳ４９で“ＮＯ”であれば、ステップＳ５１でプロセッサ１１０は、接続が解除されたか否かを判断する。たとえば、プロセッサ１１０は、携帯通信端末１０で受け取り機能が終了され、近距離無線通信の接続が解除されたかを判断する。ステップＳ５１で“ＹＥＳ”であれば、つまり接続が解除されると、プロセッサ１１０はステップＳ４３に戻る。一方、ステップＳ５１で“ＮＯ”であれば、つまり近距離無線通信が解除されていなければ、プロセッサ１１０はステップＳ４９に戻る。
【０１１１】
ステップＳ４９で“ＹＥＳ”であれば、たとえばフローティングタッチ操作が検出されると、ステップＳ５３でプロセッサ１１０は、検出位置に第１データアイコンＤａが表示されているかを判断する。つまり、第１データアイコンＤａに対して選択操作がされているかが判断される。具体的には、プロセッサ１１０は、検出バッファ３３０に記憶されている現在のフローティングタッチ位置が、アイコン座標データ４３４含まれるデータアイコンの表示座標に含まれているかを判断する。ステップＳ５３で“ＮＯ”であれば、つまり第１データアイコンＤａが選択されていなければ、プロセッサ１１０はステップＳ４９に戻る。
【０１１２】
ステップＳ５３で“ＹＥＳ”であれば、たとえば図８（Ｂ）に示すように、第１データアイコンＤａが選択されると、ステップＳ５５でプロセッサ１１０は、検出位置の第１データアイコンＤａを選択状態に変更する。つまり、図８（Ａ）に示す第１データアイコンＤａを図８（Ｂ）に示す第１データアイコンＤｂの状態に変更する。続いて、ステップＳ５７でプロセッサ１１０は、第２データアイコンＤｂを携帯通信端末１０に送信する。図８（Ｂ）に示す第２データアイコンＤｂおよび第１データアイコンＤａと対応するデータのメタ情報を、携帯通信端末１０に送信する。なお、ステップＳ５７の処理を実行するプロセッサ１１０は送信部として機能する。
【０１１３】
続いて、ステップＳ５９でプロセッサ１１０は、転送要求を受信したか否かを判断する。たとえば、ユーザが受け取り操作を行うことで、携帯通信端末１０からデータの転送要求が送信されているかが判断される。ステップＳ５９で“ＹＥＳ”であれば、つまり携帯通信端末１０から転送要求を受信すると、ステップＳ６１でプロセッサ１１０は、選択された第１データアイコンＤａに対応するデータを転送する。たとえば、図８（Ｂ）に示すように、第１データアイコンＤａに対応するデータが、携帯通信端末１０に転送される。なお、ステップＳ６１の処理を実行するプロセッサ１１０は転送部として機能する。
【０１１４】
続いて、ステップＳ６３でプロセッサ１１０は、検出位置の第１データアイコンＤａを通常状態に変更する。たとえば、図８（Ｂ）に示す選択状態の第１データアイコンＤａが、図８（Ａ）に示す第１データアイコンＤａの状態に戻る。そして、ステップＳ６３の処理が終了すれば、プロセッサ１１０はステップＳ４９に戻る。
【０１１５】
また、ステップＳ５９で“ＮＯ”であれば、つまり携帯通信端末１０から転送要求を受信しなければ、ステップＳ６５でプロセッサ１１０は、選択が解除されたか否かを判断する。たとえば、ステップＳ６５でプロセッサ１１０は、携帯通信端末１０がタッチパネル１０６から離されてフローティングタッチが検出されなくなったかを判断する。ステップＳ６５で“ＮＯ”であれば、つまり現在の選択が維持されていれば、プロセッサ１１０はステップＳ５９に戻る。一方、ステップＳ６５で“ＹＥＳ”であれば、つまり他のデータアイコンが選択されるか、タッチ操作またはフローティングタッチ操作が検出されなくなれば、ステップＳ６７でプロセッサ１１０は、消去要求を携帯通信端末１０に送信する。つまり、第２データアイコンＤａの表示を消去するよう、携帯通信端末１０に対して要求される。そして、ステップＳ６７の処理が終了すれば、プロセッサ１１０はステップＳ４９に戻る。なお、携帯通信端末１０のフローティングタッチ位置が変化して、現在選択されているデータアイコンではなく、他のデータアイコンが選択された場合も、ステップＳ６５で“ＹＥＳ”と判断される。
【０１１６】
図１５は、データ転送システム１０００においてデータが転送されるまでの流れを表すシーケンス図である。図１５を参照して、シーケンス図には、情報端末１００、携帯通信端末１０およびユーザの操作が含まれる。
【０１１７】
まず、情報端末１００の電源がオンにされると、ディスプレイ１０４にはデータアイコンが表示される。このとき、ユーザが、携帯通信端末１０のＮＦＣマーク２４を情報端末１００のＮＦＣマーク１０８にかざして受け取り機能を実行すると、携帯通信端末１０と情報端末１００との間に近距離無線通信が確立される。
【０１１８】
次に、ユーザが第１データアイコンＤａに対する選択操作を行うと、情報端末１００では選択された第１データアイコンＤａを検出する。また、情報端末１００は、選択された第１データアイコンＤａの表示を選択状態に変更し、選択された第１データアイコンＤａに関連する第２データアイコンＤｂを携帯通信端末１０に送信する。携帯通信端末１０は、第２データアイコンＤｂを受信すると、ディスプレイ１４に表示する。
【０１１９】
次に、ユーザが受け取り操作を行うと、携帯通信端末１０はその操作を検出する。また、携帯通信端末１０は受け取り操作に応じて、第１データアイコンＤａと対応するデータの転送を、情報端末１００に対して要求する。情報端末１００は、データの転送要求に応じて、第１データアイコンＤａと対応するデータを、携帯通信端末１０に転送する。携帯通信端末１０は、転送されたデータを受信すると、フラッシュメモリ３８に記憶し、そのデータの内容をディスプレイ１４に表示する。
【０１２０】
このように、データ転送システム１０００を利用するユーザは、直感的な操作で、必要なデータを、情報端末１００から携帯通信端末１０に転送することが出来る。
【０１２１】
また、データ転送システム１０００では、情報端末１００から複数の携帯通信端末１０に対してデータ転送されてもよい。たとえば、図１６を参照して、ユーザＡが携帯通信端末１０ａでデータ受け取り機能を実行させたのち、ユーザＢが携帯通信端末１０ｂでデータ受け取り機能を実行させると、情報端末１００は、携帯通信端末１０ａおよび携帯通信端末１０ｂのそれぞれと近距離無線通信を確立する。この状態で、異なる第１データアイコンＤａがユーザＡおよびユーザＢによって選択されると、２台の携帯通信端末１０ａ，１０ｂには、同じ第２データアイコンＤｂが表示される。そして、ユーザＡおよびユーザＢがそれぞれ、携帯通信端末１０で受け取り操作を行うと、２台の携帯通信端末１０ａ，１０ｂには、同じデータが転送される。なお、他の実施例では、一方のユーザが受け取り操作を行えば、２台の携帯通信端末１０ａ，１０ｂにデータが転送されてもよい。
【０１２２】
また、図１６から分かるように、第１データアイコンＤａの選択操作は、携帯通信端末１０ではなくユーザの手（指）などで行われてもよい。
【０１２３】
なお、情報端末１００に表示されているデータアイコンのうち、転送できないデータ（たとえば、著作権によって複製が禁止されたデータなど）が選択された場合、携帯通信端末１０のディスプレイ１４には、第２データアイコンＤｂと共にデータが転送できないことを示す文字列が表示されてもよい。
【０１２４】
また、他の実施例では、近距離無線通信は、Ｂｌｕｅｔｏｏｔｈ（登録商標）方式が採用されてもよい。
【０１２５】
また、加速度センサ４６に代えて、ジャイロセンサなどによって、携帯通信端末１０を振ったり動かしたりする直接的な操作が検出されてもよい。
【０１２６】
また、情報端末１００のディスプレイ１０４の表面で行われる操作は、静電容量式のタッチパネル１０６ではなく、赤外線センサ、超音波センサ、レーザセンサなどを利用したポインティングデバイスによって検出されてもよい。
【０１２７】
また、データ転送可能なデータは、たとえば、文書データ、音楽データ、画像データおよび動画像データなどである。また、画像データまたは動画像データの場合は、データアイコンに代えて、サムネイル画像がディスプレイ１０４に表示されてもよい。
【０１２８】
また、ユーザは、データ受け取り機能が実行されているときに、プレビュー画像を表示するか否かを任意に設定できてもよい。
【０１２９】
また、その他の実施例では、図１０に示すフロアガイドに店情報としてホームページアドレスなどの付加情報が付与されていてもよい。この場合、それらの情報に基づく機能（たとえば、ホームページ閲覧）を実行可能なようにハイパーリンクの設定が行われ、ハイパーリンクが設定されていることがディスプレイ１４に表示される。また、情報端末１００から取得したデータの付加情報として音情報が含まれていてもよい。音情報が含まれている場合、音情報がユーザの操作に基づき再生されるよう設定される。ただし、ユーザの操作が無くても、携帯通信端末１０がデータを取得したあと音情報が自動的に再生されてもよい。
【０１３０】
上記態様の一例を図１７に示す。図１７は、図１０に示した携帯通信端末１０の表示中のＴＶ売り場をユーザが選択した後にディスプレイ１４に表示される画面の一例である。図１７の画面では、付加情報として電話番号とホームページアドレスと音情報とが設定されている場合であり、各項目を選択すると付加情報のそれぞれに対応した機能として、ブラウザ起動または音情報の再生が実行される。したがって、その他の実施例では、ユーザは、より多くの情報を情報端末１００から取得することが出来る。また、さらにその他の実施例では、付加情報に電話番号が含まれていてもよい。そして、携帯通信端末１０が電話機能を有する場合は、付加情報の電話場号に基づいて電話発信が実行されてもよい。
【０１３１】
また、本実施例で用いられたプログラムは、データ配信用のサーバのＨＤＤに記憶され、ネットワークを介して携帯通信端末１０に配信されてもよい。また、ＣＤ，ＤＶＤ，ＢＤ（Blue-Ray Disk）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯通信端末にインストールされた場合、本実施例と同等の効果が得られる。
【０１３２】
そして、本明細書中で挙げた、具体的な数値は、いずれも単なる一例であり、製品の仕様変更などに応じて適宜変更可能である。
【符号の説明】
【０１３３】
１０    …  携帯通信端末
１４    …  ディスプレイ
１６    …  タッチパネル
２４    …  レンズ開口
２６    …  ＮＦＣマーク
３０    …  プロセッサ
４０    …  入力装置
４４    …  フラッシュメモリ
４６    …  ＲＡＭ
４８    …  タッチパネル制御回路
５０    …  カメラモジュール
５２    …  加速度センサ
５４    …  近距離無線通信回路
５６    …  近距離無線通信アンテナ
５８    …  ＮＦＣ回路
６０    …  ＮＦＣアンテナ
１００    …  情報端末
１０４    …  ディスプレイ
１０６    …  タッチパネル
１０８    …  ＮＦＣマーク
１１０    …  プロセッサ
１１４    …  フラッシュメモリ
１１６    …  ＲＡＭ
１１８    …  タッチパネル制御回路
１２０    …  近距離無線通信回路
１２２    …  近距離無線通信アンテナ
１２４    …  ＮＦＣ回路
１２６    …  ＮＦＣアンテナ
１０００    …  データ転送システム
【図１】
2014035657.tif 000003
【図２】
2014035657.tif 000004
【図３】
2014035657.tif 000005
【図４】
2014035657.tif 000006
【図５】
2014035657.tif 000007
【図６】
2014035657.tif 000008
【図７】
2014035657.tif 000009
【図８】
2014035657.tif 000010
【図９】
2014035657.tif 000011
【図１０】
2014035657.tif 000012
【図１１】
2014035657.tif 000013
【図１２】
2014035657.tif 000014
【図１３】
2014035657.tif 000015
【図１４】
2014035657.tif 000016
【図１５】
2014035657.tif 000017
【図１６】
2014035657.tif 000018
【図１７】
2014035657.tif 000019